(57)【特許請求の範囲】
【請求項１】
元ローラと、その元ローラに近接配置され、インキ壺底面を形成するインキ壺本体と、前記インキ壺底面の下端に位置するように設けられ、前記元ローラとの間隙を調整可能なインキキーと、前記インキ壺本体の両端に設けられ、インキ壺端面を形成するインキ壺側板と、前記インキ壺内面を保護するための長尺の保護フィルムであって、保護フィルム供給ロールから引き出され、インキキーを経てインキ壺底面を覆うように通された保護フィルムと、該保護フィルムの前記インキ壺底面を覆っていた部分をインキ壺の外側に引き出し、前記保護フィルム供給ロールから引き出された新たな部分をインキ壺底面上に位置させるよう、前記保護フィルムを走行させる保護フィルム搬送装置とを備え、前記保護フィルムが前記インキ壺底面にほぼ等しい幅を有すると共に、その両側縁にインキ壺端面を覆うためのフラップ部を長手方向に一定ピッチで有しており、更に、前記インキ壺側板が、インキ壺の両端に位置する作動位置と、その作動位置よりも低い、前記保護フィルムの走行時にフラップ部の走行に干渉しない退避位置とに移動可能に設けられ、且つ、そのインキ壺側板を作動位置と退避位置とに移動させるインキ壺側板駆動装置が設けられていることを特徴とする印刷機のインキ壺装置。
【請求項２】
前記保護フィルムのフラップ部が、インキ壺端面を覆う端面保護部と、前記元ローラとインキ壺側板との間にはさみ込まれる余裕部とを有していることを特徴とする請求項１記載の印刷機のインキ壺装置。
【請求項３】
前記元ローラの両端の、前記インキ壺側板に対向する位置に、前記元ローラの外径とほぼ等しい外径を有する円筒部材が、元ローラが回転しても回転しないように配置されており、前記インキ壺側板との間に前記保護フィルムのフラップ部の余裕部を挟み込み、固定する構成となっていることを特徴とする請求項２記載の印刷機のインキ壺装置。
【請求項４】
前記インキ壺本体が、元ローラと共にインキ壺を形成する作動位置と、その位置よりも下方に退避した退避位置に移動可能に設けられており、且つそのインキ壺本体を移動させる駆動装置が設けられていることを特徴とする請求項１から３のいずれか１項に記載の印刷機のインキ壺装置。
【請求項５】
前記保護フィルム搬送装置が、保護フィルムを巻き上げる巻取ロールを備えており、更に、その巻取ロールの上流に、保護フィルム上の残インキをかき取り除去する残インキ除去装置が設けられていることを特徴とする請求項１から４のいずれか１項に記載の印刷機のインキ壺装置。
【請求項６】
前記保護フィルム搬送装置が、保護フィルムを搬送させる駆動ローラを備えており、更に、その駆動ローラの下流に、送り出された保護フィルムを切り離す切断装置と、切り離された保護フィルムを収容する排フィルム受けが設けられていることを特徴とする請求項１から４のいずれか１項に記載の印刷機のインキ壺装置。
【発明の詳細な説明】
【０００１】
【発明の属する技術分野】
本発明は、オフセット印刷機、凸版印刷機等に用いるインキ壺装置に関し、特にインキ壺内面のインキを容易に除去してきれいにすることの可能なインキ壺装置に関する。
【０００２】
【従来の技術】
オフセット印刷機又は凸版印刷機においては印刷時、絵柄に合わせて供給するインキの量を変化させねばならず、通常、インキ供給ゾーンを、絵柄の幅方向に複数個に分割（約３０ｍｍピッチで分割）し、面積率の大きいゾーンには多く、面積率の小さいゾーンには少なくインキを供給している。
一般に、オフセット印刷機又は凸版印刷機におけるインキ装置にはインキ壺方式が使用されており、供給インキ量の調整は、幅方向に多数並べて配置しているインキキーをスライドさせてキー先端と元ローラとの間隙を変化させることにより行っている。この方式は、供給インキ量を正確に制御することができる利点を有している。
【０００３】
ところで、インキ装置では品目替え（色替え）時において、洗浄が必要であり、当然インキ壺内面の洗浄も行っている。このインキ壺内面洗浄は自動化が困難であり、通常、作業者による手作業で行っている。
【０００４】
【発明が解決しようとする課題】
しかしながら、インキ壺内面の洗浄は面倒であるため生産性向上における阻害要因となっている。また、洗浄が不十分な場合、インキがキー間の隙間に侵入して乾燥し、キーの作動不良を招くことがある。
これらの問題に対してインキ壺及びキーにフィルムを貼り、洗浄時にはフィルムを交換することで洗浄を簡単化する方法が提案されている。フィルムを貼る方式にはカットシート状のフィルムを貼るものと、連続したフィルムを貼り、使用済のフィルムを巻き上げるものとがある。しかしながら、いずれの方法でも、インキ壺の平坦な底面のみにフィルムを貼っており、インキ壺の内側面（端面）は剥き出しか又は特殊な形状の小片を用いて端面をカバーする方法を採っている。
このため、この方法ではインキ壺端面又はカバー用小片の洗浄作業が必要であり、やはり作業者によるかなりの手作業を必要としていた。
【０００５】
本発明は、上述の問題点に鑑みて為されたもので、オフセット印刷機、凸版印刷機等の印刷機において、品目替え時等において、容易にインキ壺の内面の残インキを除去してきれいにすることの可能な印刷機のインキ壺装置を提供することを目的とする。
【０００６】
【課題を解決するための手段】
上記目的を達成すべくなされた本発明は、元ローラと、その元ローラに近接配置され、インキ壺底面を形成するインキ壺本体と、前記インキ壺底面の下端に位置するように設けられ、前記元ローラとの間隙を調整可能なインキキーと、前記インキ壺本体の両端に設けられ、インキ壺端面を形成するインキ壺側板と、前記インキ壺内面を保護するための長尺の保護フィルムであって、保護フィルム供給ロールから引き出され、インキキーを経てインキ壺底面を覆うように通された保護フィルムと、該保護フィルムの前記インキ壺底面を覆っていた部分をインキ壺の外側に引き出し、前記保護フィルム供給ロールから引き出された新たな部分をインキ壺底面上に位置させるよう、前記保護フィルムを走行させる保護フィルム搬送装置とを備え、前記保護フィルムが前記インキ壺底面にほぼ等しい幅を有すると共に、その両側縁にインキ壺端面を覆うためのフラップ部を長手方向に一定ピッチで有しており、更に、前記インキ壺側板が、インキ壺の両端に位置する作動位置と、その作動位置よりも低い、前記保護フィルムの走行時にフラップ部の走行に干渉しない退避位置とに移動可能に設けられ、且つ、そのインキ壺側板を作動位置と退避位置とに移動させるインキ壺側板駆動装置が設けられていることを特徴とする印刷機のインキ壺装置を要旨とする。
【０００７】
上記構成のインキ壺装置では、通常の印刷時には保護フィルムがインキ壺底面及びインキ壺端面を覆って、インキで汚れないように保護しており、色替えのための洗浄時には、インキ壺側板駆動装置がインキ壺側板を退避位置に移動させ、その状態で保護フィルム搬送装置が、保護フィルムを走行させて前記保護フィルムのインキ壺底面を覆っていた部分を引き出し、新たな部分をインキ壺底面上に位置させ、その後インキ壺側板駆動装置がインキ壺側板を元の作動位置に持ち上げ、この時、インキ壺側板が上昇する際に保護フィルムの両側に形成しているフラップ部を内側に折り込み、インキ壺側板を保護する位置とする。かくして、インキ壺底面及びインキ壺端面が保護フィルムの新たな部分によって覆われることとなり、次の印刷動作に備えることができ、従来行っていた手作業によるインキ壺洗浄動作が不要となる。
【０００８】
ここで、前記保護フィルムに形成しているフラップ部が、インキ壺端面を覆う端面保護部と、前記元ローラとインキ壺側板との間にはさみ込まれる余裕部とを有する形状とすることが好ましい。この構成とすると、そのフラップ部がインキ壺側板の表面（インキ壺端面）のみならず、元ローラに押し付けられる端面をも覆って保護することとなり、インキ壺側板の保護が確実で、インキの付着を良好に防止できる。
【０００９】
また、前記元ローラの両端の、前記インキ壺側板に対向する位置に、前記元ローラの外径とほぼ等しい外径を有する円筒部材を、元ローラが回転しても回転しないように配置し、且つ前記インキ壺側板との間に前記保護フィルムのフラップ部の余裕部を挟み込み、固定する構成とすることが好ましい。この構成とすると、フラップ部の余裕部を円筒部材とインキ壺側板とで挟み付けて固定できるので、そのフラップ部が回転中の元ローラ表面に接触しても、それに引っ張られて動くということがなく、印刷中保護フィルムを常にインキ壺内面に貼り付けた状態に保持できる。
【００１０】
更に、前記インキ壺本体を、元ローラと共にインキ壺を形成する作動位置と、その位置よりも下方に退避した退避位置に移動可能とし、そのインキ壺本体を移動させる駆動装置を設けておくことが好ましい。この構成とすると、保護フィルムを移動させる時にインキ壺本体を退避位置としておくことにより、保護フィルムが動きやすくなり、保護フィルムを移動させる力が小さくて済む。
【００１１】
前記保護フィルム搬送装置としては、保護フィルムを巻き上げる巻取ロールを備えた構成とできる。この場合、その巻取ロールの上流に、保護フィルム上の残インキをかき取り除去する残インキ除去装置を設けておくことが望ましい。この構成とすると、保護フィルムを、残インキを除去した状態でロール状に巻き上げることができ、使用済の保護フィルムをコンパクトに巻き取ることができ、装置が必要とするスペースを小さくできる。
【００１２】
また、前記保護フィルム搬送装置としては、単に保護フィルムを搬送させる駆動ローラを備えた構成とでき、その場合には、その駆動ローラの下流に、送り出された保護フィルムを切り離す切断装置と、切り離された保護フィルムを収容する排フィルム受けを設けておくことが望ましい。この構成とすると、使用済のインキが付いた保護フィルムを切り離して単に排フィルム受けに投入すればよく、装置の構造が簡単となる。
【００１３】
【発明の実施の形態】
以下、図面に示す本発明の好適な実施例を説明する。図１は、オフセット印刷機或いは凸版印刷機に設けた、本発明の一実施例によるインキ壺装置を備えたインキ装置の要部を示す概略断面図、図２はそのインキ壺装置の概略側面図、図３はそのインキ壺装置の概略平面図、図４はそのインキ壺装置に用いる保護フィルムの一部の概略平面図、図５（ａ）、（ｂ）、（ｃ）はそれぞれ、そのインキ壺装置を異なる作動状態で示す概略斜視図、図６（ａ）、（ｂ）、（ｃ）、（ｄ）はそれぞれ、そのインキ壺装置を異なる作動状態で示す概略断面図又は側面図である。図１〜図６において、１は印刷ユニットのフレーム、２はインキ壺装置（詳細は後述）、３はそのインキ壺装置２の一部を構成する元ローラ、４は呼び出しローラ、５はインキ練りローラであり、これらは版胴（図示せず）に対してインキ供給を行うインキ装置を構成している。
【００１４】
インキ壺装置２は、元ローラ３と、その元ローラ３に近接配置され、平坦なインキ壺底面７ａを形成するインキ壺本体７と、そのインキ壺本体７に、インキ壺底面７ａの下端に位置するように設けられ、元ローラ３との間隙を調整可能な複数のインキキー８と、そのインキキー８の位置を調整するためのインキキー調整用ロッド９と、インキ壺本体７の両端に設けられ、インキ壺端面１０ａを形成するインキ壺側板１０等を備えている。このインキ壺側板１０は、元ローラ３の外周面に押し付けられてインキ漏れを防止するための円弧面１０ｂを備えている。
更に、このインキ壺側板１０は、インキ壺本体７の両端外面７ｂに接するように、且つ支軸１１を中心として旋回可能に取り付けられており、インキ壺の両端に位置する作動位置〔図５（ａ）、図６（ａ）に示す位置〕と、その位置よりも低い、好ましくはインキ壺底面７ａよりも低い退避位置〔図５（ｂ）、図６（ｂ）に示す位置〕とに移動可能となっている。そして、このインキ壺側板１０には、そのインキ壺側板１０を作動位置及び退避位置に往復動させるためのエアシリンダ等のインキ壺側板駆動装置（図示せず）が連結されている。
【００１５】
インキ壺本体７は、図６（ａ）に示すように、元ローラ３と共にインキ壺を形成する作動位置と、図６（ｂ）に示すように、作動位置よりも下方に退避し且つインキ壺底面７ａがほぼ水平となる退避位置に移動可能に設けられている。また、そのインキ壺本体７には、インキ壺本体７を作動位置と退避位置とに往復動させるエアシリンダ等の駆動装置（図示せず）が連結されている。
【００１６】
図１〜図６において、インキ壺装置２は更に、インキ壺内面を保護するための長尺の保護フィルム１５と、その保護フィルム１５を繰り出す保護フィルム供給ロール１６と、保護フィルム供給ロール１６から引き出され、インキキー８を経てインキ壺底面７ａを覆うように通された保護フィルム１５の、インキ壺底面７ａを覆っていた部分を引き出し、新たな部分をインキ壺底面７ａ上に位置させるよう、保護フィルム１５を移動させる保護フィルム搬送装置１７を備えている。
本実施例では、保護フィルム搬送装置１７として、保護フィルム１５を案内するガイドローラ１８と保護フィルム１５を巻き上げる巻取ロール１９を設けており、その巻取ロール１９には駆動モータ（図示せず）が連結されている。更に、その巻取ロール１９の上流に、保護フィルム１５上の残インキ２０〔図６（ｂ）参照〕をかき取り除去する残インキ除去装置２１が設けられている。
【００１７】
ここで使用する保護フィルム１５は、図４に示すように、連続した一定幅部分１５ａの両側縁に、インキ壺端面を覆うためのフラップ部１５ｂを、長手方向に一定ピッチで形成したものである。一定幅部分１５ａの幅は、一対のインキ壺端面１０ａ、１０ａ間のインキ壺底面７ａの幅に等しく定められている。フラップ部１５ｂは、インキ壺端面を覆うほぼ三角形の端面保護部１５ｂ1 と、それに続いて設けられた余裕部１５ｂ2 とからなり、その余裕部１５ｂ2 は元ローラ３とインキ壺側板１０との間にはさみ込まれるためのものである。保護フィルム１５を構成する材料は軟質樹脂フィルムであればよいが、極めて高い印刷品質が求められる場合には、ポリカーボネートフィルムが望ましい。それ以外の場合はＰＥＴ（ポリエチレンテレフタレート）、ナイロン、ポリプロピレンフィルム等が良い。
【００１８】
図１、図３において、保護フィルム供給ロール１６から引き出された保護フィルム１５の搬送途中には、巻き上げ長さ測定ローラ２３が配置され、ロータリーエンコーダ２４に接続されている。このロータリーエンコーダ２４は、巻取ロール１９によって保護フィルム１５を巻き上げ、保護フィルム１５の新たな部分をインキ壺底面７ａ上に送り込む際に保護フィルム１５の送り量を測定し、保護フィルム１５の所望の位置（フラップ部１５ｂを設けた位置）を正しくインキ壺底面７ａ上に位置決めすることができるように、設けている。なお、保護フィルム１５を巻き上げた際の位置決めは、巻き上げ長さ測定ローラ２３及びロータリーエンコーダ２４を設ける場合に限らず、適宜変更可能であり、例えば、図７に示すように、保護フィルム１５にセンサ検知用小穴２６或いはマークを、一定ピッチで設けておき、図８に示すように、保護フィルム１５の搬送経路に配置した光電センサ２７でそのセンサ検知用小穴２６或いはマークを検知する方法を採用してもよい。
【００１９】
図３において、元ローラ３の両端には、元ローラ３の外径とほぼ等しい外径を有する円筒部材３０が、元ローラ３が回転しても回転しないように配置されている。インキ壺側板１０の元ローラ３に接する部分は肉厚に形成され、元ローラ３と円筒部材３０の両方に押し付けられるようになっている。
【００２０】
なお、図示は省略しているが、以下に説明する洗浄動作を自動的に行うためのシーケンス制御装置が設けられている。
【００２１】
次に、上記構成のインキ壺装置２について、その動作を説明する。
通常の印刷時には、インキ壺本体７及びインキ壺側板１０は図１、図５（ａ）、図６（ａ）等に示す作動位置を占めており、保護フィルム１５はインキ壺内面を覆っている。すなわち、保護フィルム１５の一定幅部分１５ａ（図４参照）はインキキー８及びインキ壺底面７ａを覆っており、フラップ部１５ｂの端面保護部１５ｂ1 がインキ壺端面１０ａを覆っており、更に余裕部１５ｂ2 がインキ壺側板１０と元ローラ３及び円筒部材３０の間に挟み付けられている。この状態で印刷が行われる。すなわち、図１において、元ローラ３がゆっくり矢印方向に回転し、インキ壺内に供給されているインキが元ローラ３の外周面にインキ膜を形成し、そのインキが、元ローラ３に接触する位置に移動した呼び出しローラ４に転移され、次いで、呼び出しローラ４がインキ練りローラ５に接触する位置に移動してインキをインキ練りローラ５に転移させるという動作でインキ供給が行われる。この動作中、インキ壺内面は、底面のみならず端面も保護フィルム１５で覆われているので、インキ壺本体７やインキ壺側板１０がインキで汚れることはない。また、元ローラ３が回転するので、その元ローラ３とインキ壺側板１０とではさみ付けられている保護フィルム１５の余裕部１５ｂ2 が元ローラ３で引っ張られる恐れがあるが、この余裕部１５ｂ2 は、回転しない円筒部材３０とインキ壺側板１０とで挟み付けられ固定されているので、その保護フィルム１５が動いてトラブルを起こすということがない。なお、保護フィルム１５の滑り性が良く、円筒部材３０とインキ壺側板１０とで余裕部１５ｂ2 を固定していなくても、元ローラ３に接触する余裕部１５ｂ2 が元ローラ３で引っ張られる恐れがない場合には、円筒部材３０は省略してもよい。
【００２２】
印刷終了後、インキ壺の洗浄を行う場合は、シーケンス制御装置の洗浄ボタンを押す。すると、図６（ｂ）に示すように、インキ壺本体７が退避位置に下がると共にインキ壺側板１０も退避位置に下がり、保護フィルム１５の巻き上げが可能な状態となる。なお、保護フィルム１５の巻き上げは、インキ壺側板１０のみを下げた状態としても可能であるが、インキ壺本体７も下げておくと保護フィルム１５の巻き上げ力が小さくて済み、且つ、インキ壺底面７ａが水平となって残インキ２０の排出が容易となるので、好ましい。
【００２３】
次に、巻取ロール１９が回転して保護フィルム１５を所定量巻き上げ、残インキ２０で汚れた部分を巻き取ると共に、保護フィルム１５の新たな所定の部分をインキ壺本体７上に移動させる。この際、保護フィルム１５上の残インキ２０は残インキ除去装置２１がかき取って除去しており、このため巻取ロール１９内に多量のインキが巻き込まれてトラブルを起こすということが防止される。また、保護フィルム１５の両側縁にはフラップ部１５ｂが水平に延び出しているが、保護フィルム１５の巻き上げの際、インキ壺側板１０は下方に退避しているので、そのインキ壺側板１０がフラップ部１５ｂの走行に干渉することはない。
【００２４】
保護フィルム１５が移動した後、図６（ｃ）に示すようにインキ壺本体７が元の作動位置に戻る。この時の状態が図５（ｂ）に示す状態であり、保護フィルム１５のフラップ部１５ｂがインキ壺底面７ａの両側に水平に延び出した状態となっている。次に、インキ壺側板１０が上方に旋回し、フラップ部１５ｂを上向きに折り込みつつ移動し、その端部の湾曲面１０ｂと元ローラ３及び円筒部材３０との間にフラップ部１５ｂの余裕部１５ｂ2 をはさみ込み固定する。これにより、インキ壺内面（インキ壺底面７ａ及びインキ壺端面１０ａ）に保護フィルム１５が貼り付けられた状態となり、洗浄動作が終了する。なお、インキ壺側板１０を上げる動作は、インキ壺本体７を上げる動作と同時に或いはその前に行ってもよいが、インキキー部分の保護フィルム１５に皺が入るのを避けるため、インキ壺本体７を先に上げるのが望ましい。
【００２５】
以上のようにしてインキ壺洗浄動作が自動的に行われ、作業者に対する作業負担が大幅に削減される。またこのインキ壺洗浄動作は、印刷機に設けている複数の印刷ユニットについて同時に行われる。かくして、印刷機の各インキ壺の洗浄を極めて短時間に容易に行うことができ、印刷機の停止時間を短縮して生産性を向上させることができる。なお、このインキ壺洗浄動作と並行して、インキ装置の他のローラの洗浄動作も行われる。洗浄動作の終了後、インキ壺にインキを供給し、印刷動作に入る。
【００２６】
なお、上記実施例では、インキ壺側板１０を支軸１１を中心として旋回可能に設け、インキ壺の両端に位置する作動位置とそれよりも低い退避位置とに移動させる構成としているが、インキ壺側板１０の移動は必ずしも旋回方式に限らず、スライド方式としてもよい。図９はその場合の実施例を示すものであり、インキ壺側板１０はインキ壺本体７の両端外面７ｂに接して斜め下方に直線状に移動するように配置されており、図９（ａ）に示す作動位置から、図９（ｂ）に示すように、インキ壺側板１０がインキ壺底面７ａよりも低い位置となった退避位置に移動し、また、その位置から図９（ｃ）に示す作動位置に移動するように、エアシリンダ等のインキ壺側板駆動装置（図示せず）に連結されている。その他の構成は、図１〜図８に示す実施例と同様である。図９に示す実施例でも、インキ壺側板１０を図９（ｂ）に示す退避位置に移動させた状態で、保護フィルム１５を巻き上げて、インキで汚れた部分を排出し、新たな部分をインキ壺底面７ａ上に位置させ、次いで、インキ壺側板１０を図９（ｃ）に示す位置に押し上げることで、保護フィルム１５のフラップ部１５ｂをインキ壺側板１０の内面即ちインキ壺端面１０ａ上に位置させることができ、インキ壺の底面のみならず端面に保護フィルム１５をかぶせることができ、従来行っていた手作業によるインキ壺洗浄動作を省略できる。
【００２７】
更に、上記実施例では、保護フィルム１５を走行させる保護フィルム搬送装置１７として巻取ロール１９を利用しているが、保護フィルム搬送装置１７もこの構成に限らず、適宜変更可能である。図１０、図１１は、他の構成の保護フィルム搬送装置１７Ａを備えたインキ壺装置を示すものである。この保護フィルム搬送装置１７Ａは、保護フィルム１５をはさみ付けて搬送するように配置された駆動ローラ３２と押えローラ３３を備えている。更に、その駆動ローラ３２の下流には、送り出された保護フィルム１５を切り離すカッター３５ａ及びエアシリンダ３５ｂを備えた切断装置３５が配置され、且つその下方に上端を開いた箱状の排フィルム受け３６が設けられている。この実施例では、駆動ローラ３２と押えローラ３３で保護フィルム１５を搬送し、保護フィルム１５の残インキが付着した部分をそのまま、排フィルム受け３６に投入し且つその上端を切断装置３５で切り離し、残インキが付着したままの保護フィルム１５を排フィルム受け３６内に集積する。このように、排出した保護フィルム１５を単に、排フィルム受け３６内に排出するのみであるので、先に説明した実施例のように巻取ロールを用いる場合に比べて、構造が簡単となっている。
【００２８】
【発明の効果】
以上に説明したように本発明は、インキ壺内面に配置する保護フィルムとして、両側縁にフラップ部を備えたものを用い、且つインキ壺の端面を形成するインキ壺側板を、インキ底面を形成するインキ壺本体に対して、インキ壺の両端に位置する作動位置とその位置よりも低い退避位置とに移動させる構成としたので、通常の印刷時には保護フィルムでインキ壺底面及びインキ壺端面を覆うことが可能であり、色替え等のための洗浄時には、インキ壺側板を退避位置に移動させ、その状態で保護フィルムを走行させて、保護フィルムのインキ壺底面を覆っていた部分を引き出し、新たな部分をインキ壺底面上に位置させ、その後インキ壺側板を元の作動位置に持ち上げることで、保護フィルムの両側に形成しているフラップ部を内側に折り込み、インキ壺端面を保護する位置とすることができ、きわめて簡単に且つ敏速に、インキ壺底面及びインキ壺端面を保護フィルムの新たな部分で覆うことができ、換言すれば、インキ壺の洗浄を行うことができ、従来行っていた手作業によるインキ壺洗浄動作を削減できると共に、印刷機の停止時間を短縮でき、生産性を向上できるという効果を有している。
【００２９】
ここで、前記保護フィルムに形成しているフラップ部を、インキ壺端面を覆う端面保護部と、元ローラとインキ壺側板との間にはさみ込まれる余裕部とを有する形状とすると、そのフラップ部がインキ壺側板の表面（インキ壺端面）のみならず、元ローラに押し付けられる端面をも覆って保護することとなり、インキ壺側板の保護が確実で、インキの付着を良好に防止できるという効果が得られる。
【００３０】
また、前記元ローラの両端の、前記インキ壺側板に対向する位置に、前記元ローラの外径とほぼ等しい外径を有する円筒部材を、元ローラが回転しても回転しないように配置し、前記インキ壺側板との間に保護フィルムのフラップ部の余裕部を挟み込み、固定する構成とすると、フラップ部の余裕部を円筒部材とインキ壺側板とで挟み付けて固定でき、そのフラップ部が回転中の元ローラ表面に接触して引っ張られても動くことがなく、印刷中保護フィルムを常にインキ壺内面に良好に貼り付けた状態に保持できるという効果が得られる。
【００３１】
更に、前記インキ壺本体を、元ローラと共にインキ壺を形成する作動位置と、その位置よりも下方に退避した退避位置に移動可能とし、そのインキ壺本体を移動させる駆動装置を設けておくと、保護フィルムを移動させる時にインキ壺本体を退避位置としておくことにより、保護フィルムが動きやすくなり、保護フィルムを移動させる力を小さくでき、また、その移動中に保護フィルムに傷がつくことを防止できるという効果が得られる。
【００３２】
また、保護フィルムを走行させるための保護フィルム搬送装置として、保護フィルムを巻き上げる巻取ロールを備えた構成とし、且つ、その巻取ロールの上流に、保護フィルム上の残インキをかき取り除去する残インキ除去装置を設けておくと、保護フィルムから残インキを除去した状態でロール状に巻き上げることができ、使用済の保護フィルムをコンパクトに巻き取ることができ、装置が必要とするスペースを小さくできるという効果が得られる。
【００３３】
更に、その保護フィルム搬送装置として、単に保護フィルムを搬送させる駆動ローラを備えた構成とし、その駆動ローラの下流に、送り出された保護フィルムを切り離す切断装置と、切り離された保護フィルムを収容する排フィルム受けを設けておくと、使用済のインキが付いた保護フィルムを、単に切り離して排フィルム受けに投入すればよく、装置の構造を簡単とできるという効果が得られる。
【図面の簡単な説明】
【図１】本発明の一実施例によるインキ壺装置を備えたインキ装置の要部を示す概略断面図
【図２】そのインキ壺装置の概略側面図
【図３】そのインキ壺装置の概略平面図
【図４】そのインキ壺装置に用いる保護フィルムの一部の概略平面図
【図５】（ａ）、（ｂ）、（ｃ）はそれぞれ、そのインキ壺装置を異なる作動状態で示す概略斜視図
【図６】（ａ）、（ｂ）、（ｃ）、（ｄ）はそれぞれ、そのインキ壺装置を異なる作動状態で示す概略断面図又は側面図
【図７】保護フィルムの他の例を示す一部の概略平面図
【図８】図７に示す保護フィルムを使用したインキ壺装置の概略断面図
【図９】本発明の他の実施例によるインキ壺装置を示すもので、（ａ）、（ｂ）、（ｃ）はそれぞれ異なる作動状態で示す概略斜視図
【図１０】本発明の更に他の実施例によるインキ壺装置を示す概略斜視図
【図１１】図１０に示すインキ壺装置の概略断面図
【符号の説明】
１  印刷ユニットのフレーム
２  インキ壺装置
３  元ローラ
４  呼び出しローラ
５  インキ練りローラ
７  インキ壺本体
７ａ  インキ壺底面
８  インキキー
９  インキキー調整用ロッド
１０  インキ壺側板
１０ａ  インキ壺端面
１１  支軸
１５  保護フィルム
１５ａ  一定幅部分
１５ｂ  フラップ部
１５ｂ1   端面保護部
１５ｂ2   余裕部
１６  保護フィルム供給ロール
１７、１７Ａ  保護フィルム搬送装置
１９  巻取ロール
２０  残インキ
２１  残インキ除去装置
２３  巻き上げ長さ測定ローラ
２４  ロータリーエンコーダ
３０  円筒部材
３２  駆動ローラ
３３  押えローラ
３５  切断装置
３６  排フィルム受け
【図１】
0003694550.tif 000002
【図２】
0003694550.tif 000003
【図３】
0003694550.tif 000004
【図４】
0003694550.tif 000005
【図５】
0003694550.tif 000006
【図６】
0003694550.tif 000007
【図７】
0003694550.tif 000008
【図８】
0003694550.tif 000009
【図９】
0003694550.tif 000010
【図１０】
0003694550.tif 000011
【図１１】
0003694550.tif 000012